(57)【要約】【課題】冷蔵庫の冷却器を構成する冷媒管と、その影響を受けた冷媒管前方のカバーとの間の温度差により、カバーに生じる結露を防止するとともに、露が生じてもカバーに付着した露を確実に受け、排水する冷蔵庫を提供する。【解決手段】排水樋２５の前端を、連結管カバー１５の下部前方まで延出させた延出部２７を設け、同延出部２７の上端および側端と、前記連結管カバー１５の前記延出部２７に対向する下部面との空間を塞ぐ遮蔽部２７ａを設け、前記連結管カバー１５と、前記延出部２７と、前記遮蔽部２７ａで囲まれた空気層部２４を形成し、また、前記遮蔽部２７ａの上面を凹部２７ｂに形成し、前記延出部２７の側端上部よりも前記排水樋２５側を低くして傾斜部２７ｃを設けている。【選択図】  図４
2004286323.tif 000002
【特許請求の範囲】
【請求項１】
外箱と内箱間に発泡断熱材を充填してなる断熱箱体の内部を複数の断熱仕切体によって上下に区画し、上方の貯蔵室の後方に積層されたフインと伝熱管からなる第一冷却器と、下方の貯蔵室の後方に積層されたフインと伝熱管からなる第二冷却器と、前記両冷却器間を結合する連結管を前記各冷却器の側端下方から前記断熱仕切体の背面奥を通して設け、前記連結管の前方には連結管カバーを設け、前記各冷却器の下方に除霜ヒーターと、除霜水を受ける排水樋を配設してなる冷蔵庫において、
前記排水樋の前端を、前記連結管カバーの下部前方まで延出させた延出部を設け、同延出部の上端および側端と前記連結管カバーの下部との空間を塞ぐ遮蔽部を設けることにより空気層部を形成してなることを特徴とする冷蔵庫。
【請求項２】
前記延出部の上端に形成した遮蔽部を凹部に形成し、且つ、前記延出部の側端上部よりも前記排水樋側を低くして傾斜部を設けてなることを特徴とする請求項１記載の冷蔵庫。
【請求項３】
前記延出部を設けた前記排水樋と、同排水樋との間に遮蔽部を設けた前記連結管カバーを、一体に形成してなることを特徴とする請求項１または請求項２記載の冷蔵庫。
【発明の詳細な説明】
【０００１】
【発明の属する技術分野】
本発明は、冷蔵庫に係わり、より詳細には、連結管による連結管カバーの結露防止および連結管カバーに付着した露の排水の構成に関する。
【０００２】
【従来の技術】
従来例の冷蔵庫は、例えば図１、図２および図５で示すように、外箱２と内箱３と発泡断熱材４とからなる断熱箱体１の内部を断熱仕切体５、６により冷蔵室７と、野菜室８と、冷凍室９とに区画し、前記野菜室８の後方に組み付けられる前記冷蔵室７および野菜室８用の第一冷却器１０および第一送風機１２が配置され、また、前記冷凍室９の後方に組み付けられる第二冷却器１１および第二送風機１３が配置されており、前記両冷却器１０、１１間を連結管１４で連結されている。
【０００３】
前記両冷却器１０、１１は、所定間隔で横方向に積層された多数のフイン２０と、この同フイン２０に直交させた複数の伝熱管２１からなっており、前記第一冷却器１０と前記第二冷却器１１間を前記連結管１４の両端を前記両冷却器１０、１１の前記各伝熱管２１と直列に接続していた。前記第一冷却器１０に接続された前記連結管１４は、前記第一冷却器１０の側端下方から前記断熱仕切体６の背面奥を通して前記第二冷却器１１へ接続されており、前記第一冷却器１０側の連結管１４の前方には前記断熱仕切体６の上部と連なる連結管カバー１５を設けていた。
【０００４】
また、前記各冷却器１０、１１の上方に冷気強制循環用の前記各送風機１２、１３を設ける一方、下方に各除霜ヒータ２２、２３を配設し、同各除霜ヒータ２２、２３の下方に各排水樋２５、２６を設けた構成とし、同各排水樋２５、２６に流下した前記各冷却器１０、１１の除霜水は各排水管１８、１９を介して圧縮機１６の上部に配置された蒸発皿１７に流入し、蒸発させるようになっている。
【０００５】
また、前記各冷却器１０、１１の前方には、それぞれ冷気供給ダクト２８、２９が配設されており、前記各冷却器１０、１１で生成された冷気は、前記各送風機１２、１３により送出され、前記冷気供給ダクト２８、２９によって各室へ供給するようになっていた。
【０００６】
従来例の冷蔵庫では、前記両冷却器間の前記連結管へ着霜した霜の除去方法として（例えば、特許文献１参照）、前記第二冷却器に接続した前記連結管を前記第二冷却器の上方近傍の左右方向に延出させ、延出した前記連結管を前記第一冷却器１０と連結し、前記各除霜ヒータの熱を受け易くしている。
【０００７】
しかしながら、従来例の冷蔵庫では、前記両冷却器１０、１１間の前記連結管１４は、前記両冷却器１０、１１の側端に配置されており、冷却された前記連結管１４と、同連結管１４の前方の前記連結管カバー１５との間に温度差が生じ、前記連結管カバー１５の庫内側に露が生じ、図５（Ｂ）の矢視で示すように、同露が前記連結管カバー１５の下方に垂れ、同連結管カバー１５の前方の前記冷気供給ダクト２８と前記断熱仕切体６との隙間から庫内に流れ出してしまうという恐れのある問題を有していた。
【０００８】
【特許文献１】
特開２００２−３１８０５８号公報（第３ー４頁、第１図）
【０００９】
【発明が解決しようとする課題】
本発明においては、上記の問題点に鑑み、冷蔵庫の冷却器を構成する冷媒管と、その影響を受けた冷媒管前方のカバーとの間の温度差により、カバーに生じる結露を防止するとともに、例え、露が生じてもカバーに付着した露を確実に受け、排水する冷蔵庫を提供することを目的とする。
【００１０】
【課題を解決するための手段】
本発明は、上記問題点を解決するため、外箱と内箱間に発泡断熱材を充填してなる断熱箱体の内部を複数の断熱仕切体によって上下に区画し、上方の貯蔵室の後方に積層されたフインと伝熱管からなる第一冷却器と、下方の貯蔵室の後方に積層されたフインと伝熱管からなる第二冷却器と、前記両冷却器間を結合する連結管を前記各冷却器の側端下方から前記断熱仕切体の背面奥を通して設け、前記連結管の前方には連結管カバーを設け、前記各冷却器の下方に除霜ヒーターと、除霜水を受ける排水樋を配設してなる冷蔵庫において、
前記排水樋の前端を、前記連結管カバーの下部前方まで延出させた延出部を設け、同延出部の上端および側端と前記連結管カバーの下部との空間を塞ぐ遮蔽部を設けることにより空気層部を形成した構成となっている。
【００１１】
前記延出部の上端に形成した遮蔽部を凹部に形成し、且つ、前記延出部の側端上部よりも前記排水樋側を低くして傾斜部を設けた構成となっている。
【００１２】
前記延出部を設けた前記排水樋と、同排水樋との間に遮蔽部を設けた前記連結管カバーを、一体に形成した構成となっている。
【００１３】
【発明の実施の形態】
以下、本発明の実施の形態を、添付図面に基づいた実施例として説明する。
図１は本発明による冷蔵庫本体の側断面図（Ａ）と、冷却器の構造を示す正面図（Ｂ）であり、図２は本発明の冷却器の構造を示す要部斜視図であり、図３は本発明による一実施例の形態を示す要部斜視図であり、図４は本発明による一実施例の要部拡大斜視図（Ａ）と、要部拡大側断面図（Ｂ）である。
なお、従来と同じ部分の符号は同一とする。
【００１４】
図において、図１（Ａ）は冷蔵庫本体の概略構成を側面から示したもので、１は鋼板製の外箱２と、合成樹脂製の内箱３と、発泡断熱材４等からなる断熱箱体で、その内部は二つの断熱仕切体５、６により、上から順に冷蔵室７と、野菜室８と、冷凍室９とに区画されている。
【００１５】
前記野菜室８の後方に組付けられる前記冷蔵室７および野菜室８用の第一冷却器１０および第一送風機１２が配置され、また、前記冷凍室９の後方に組み付けられる第二冷却器１１および第二送風機１３が配置されており、前記両冷却器１０、１１間を連結管１４で連結されている。
【００１６】
また、前記各冷却器１０、１１の上方に冷気強制循環用の前記各送風機１２、１３を設ける一方、下方に各除霜ヒータ２２、２３を配設し、同各除霜ヒータ２２、２３の下方に各排水樋２５、２６を設けた構成とし、同各排水樋２５、２６に流下した前記各冷却器１０、１１の除霜水は各排水管１８、１９を介して前記圧縮機１６の上部に配置された蒸発皿１７に流入し、蒸発させるようになっている。
【００１７】
また、前記各冷却器１０、１１の前方には、それぞれ冷気供給ダクト２８、２９が配設されており、前記各冷却器１０、１１で生成された冷気は、前記各送風機１２、１３により送出され、前記冷気供給ダクト２８、２９によって各室へ供給するようになっている。
【００１８】
図２および図３で示すように、前記両冷却器１０、１１は、所定間隔で横方向に積層された多数のフイン２０と、この同フイン２０に直交させた複数の伝熱管２１からなっており、前記第一冷却器１０と前記第二冷却器１１間を前記連結管１４の両端を前記両冷却器１０、１１の前記各伝熱管２１と直列に接続している。前記第一冷却器１０に接続された前記連結管１４は、前記第一冷却器１０の側端下方から前記断熱仕切体６の背面奥を通して前記第二冷却器１１へ接続されており、前記第一冷却器１０側の連結管１４の前方には前記断熱仕切体６の上部と連なる連結管カバー１５を設けている。
【００１９】
そして、図４で示すように、前記排水樋２５の前端を、前記連結管カバー１５の下部前方まで延出させた延出部２７を設け、同延出部２７の上端および側端と、前記連結管カバー１５の前記延出部２７に対向する下部面との空間を塞ぐ遮蔽部２７ａを設け、前記連結管カバー１５と、前記延出部２７と、前記遮蔽部２７ａで囲まれた空気層部２４を形成している。
【００２０】
前記連結管カバー１５と、前記延出部２７と、前記遮蔽部２７ａで囲まれた空気層部２４を形成することにより、冷却された前記連結管１４と、同連結管１４の前方の前記連結管カバー１５との間に密閉された空間ができるので、前記連結管１４からの冷気の影響を防ぎ、前記連結管カバー１５の庫内側に生じる結露を防止できる。
【００２１】
また、前記延出部２７の上端に形成した遮蔽部２７ａの上面を凹部２７ｂに形成し、且つ、前記延出部２７の側端上部よりも前記排水樋２５側を低くして傾斜部２７ｃを設けることにより、前記連結管カバー１５の上方に露が生じた場合にも、図４の矢視で示すようにし、前記遮蔽部２７ａの凹部２７ｂで前記連結管カバー１５の上方より垂れてきた露を確実に受け、前記傾斜部２７ｃを流れて、前記排水樋２５へ導き排水することができる。
【００２２】
また、前記延出部２７を設けた前記排水樋２５と、同排水樋２５との間に遮蔽部２７ａを設けた前記連結管カバー１５を一体に形成し、部品点数を増やすことなく、上記構成が可能となる。
【００２３】
上記構成において、本発明の一実施例による冷蔵庫では、前記連結管カバー１５下部前方に空気層部２４を形成することにより、前記連結管１４からの冷気の影響を防ぎ、前記連結管カバー１５の庫内側に生じる結露を防止でき、また、前記排水樋２５の延出部２７の上端に傾斜部２７ｃを設けた凹部２７ｂを形成することにより、前記連結管カバー１５の上方に露が生じ垂れてきても露を確実に受け、前記排水樋２５へ導くことができ、露が前記連結管カバー１５の下方に垂れ、同連結管カバー１５の前方の前記冷気供給ダクト２８と前記断熱仕切体６との隙間から庫内に流れ出してしまうという恐れのある問題をなくすことができる。
【００２４】
【発明の効果】
以上説明したように、本発明によれば、冷蔵庫の冷却器を構成する冷媒管と、その影響を受けた冷媒管前方のカバーとの間の温度差により、カバーに生じる結露を防止するとともに、例え、露が生じてもカバーに付着した露を確実に受け、排水する冷蔵庫となる。
【図面の簡単な説明】
【図１】本発明および従来例による冷蔵庫本体の側断面図（Ａ）と、冷却器の構造を示す正面図（Ｂ）である。
【図２】本発明および従来例の冷却器の構造を示す要部斜視図である。
【図３】本発明による一実施例の形態を示す要部斜視図である。
【図４】本発明による一実施例の要部拡大斜視図（Ａ）と、図３におけるＡ−Ａ矢視を示す要部拡大側断面図（Ｂ）である。
【図５】従来例の形態を示す要部斜視図（Ａ）と、（Ａ）におけるＡ−Ａ矢視を示す要部拡大側断面図（Ｂ）である。
【符号の説明】
１  断熱箱体
２  外箱
３  内箱
４  発泡断熱材
５、６、断熱仕切体
７  冷蔵室
８  野菜室
９  冷凍室
１０  第一冷却器
１１  第二冷却器
１２    第一送風機
１３  第二送風機
１４  連結管
１５    連結管カバー
１６  圧縮機
１７  蒸発皿
１８、１９  排水管
２０  フイン
２１  伝熱管
２２、２３  除霜ヒータ
２４  空気層部
２５、２６  排水樋
２７  延出部
２８、２９    冷気供給ダクト
【図１】
2004286323.tif 000003
【図２】
2004286323.tif 000004
【図３】
2004286323.tif 000005
【図４】
2004286323.tif 000006
【図５】
2004286323.tif 000007